(57)【要約】【課題】  ストロボ撮影において、主被写体と背景の色温度を適正にする。  撮影後に先幕・後幕シンクロ、露光時間を選択できる。【解決手段】  露光時間を任意の時間に分割して、複数回の露光を行える露光手段と複数回の露光について撮像した画像全てを記録媒体に記録することを特徴とする。また、色温度検出を検出する色温度検出手段と色別に信号レベルを増幅させる制御装置とを有し、撮影後に請求項１に記載の複数画像それぞれに関して、測色処理を施すことを特徴とする。上記手段により、夜景などのシーンで、人物などの被写体およびバックの風景いずれも、適正な色の画像を得ることが可能となる。また、撮影後に露光量や先幕後幕の決定を行えるために、ユーザーの意図する画像を簡単に得られることが可能となる。【選択図】  図１
2006191290.tif 000002
【特許請求の範囲】
【請求項１】
撮像した静止画像を記録媒体に記録する画像処理装置であって、露光開始を検知する露光検知スイッチと、露光時間を決定する露光時間決定装置を有し、露光開始を検知した場合には、露光時間を任意の時間に分割して、複数回の露光を行える露光手段と複数回の露光について撮像した画像全てを記録媒体に記録することを特徴とする画像処理装置。
【請求項２】
前記記載の画像処理装置は色温度検出を検出する色温度検出手段と色別に信号レベルを増幅させる制御装置とを有し、撮影後に請求項１に記載の複数画像それぞれに関して、測色処理を施すことを特徴とする画像処理装置。
【請求項３】
前記記載の画像処理装置は記録媒体に記録されている複数の画像を合成する合成装置を有し、請求項１に記載の複数の画像を合成することによって、適正な露光量の画像を生成させることを特徴とする画像処理装置。
【請求項４】
前記記載の画像処理装置はストロボ発光装置を有し、露光時間中の最初と最後にストロボ発光を行うことを特徴とする画像処理装置。
【請求項５】
前記記載の画像処理装置は記録媒体に記録されている複数の画像を合成する合成装置を有し、請求項４に記載のストロボ発光の最初の発光若しくは最後の発光のいずれかを選択し、画像合成を行うことを特徴とする画像処理装置。
【請求項６】
前記記載の画像処理装置は記録媒体に記録されている複数の画像を合成する合成装置を有し、撮影後に露光時間を入力する手段を有し、入力された露光時間により、重ねあわせる画像を選択し、画像合成を行うことを特徴とする画像処理装置。
【発明の詳細な説明】
【技術分野】
【０００１】
本発明は、静止画像を撮像、記録する画像処理装置及び画像処理装置制御方法に関する。
【背景技術】
【０００２】
近年デジタルカメラの普及が目覚しく、デジタルカメラ画像は銀塩写真と異なりユーザーが様々な画像処理をほどこすことが可能である。
【０００３】
又、別の従来例としては、例えば特許文献１をあげることが出来る。
【特許文献１】特開２００３−４６８５４号公報
【発明の開示】
【発明が解決しようとする課題】
【０００４】
このようなデジタルカメラとしての特徴があるなかで、一般にカメラの露出、特に夜景バックに人物撮影などを行う場合には、カメラの露光量の決定が難しく、また背景は外光、人物はストロボの光での色温度をもったシーンとなるために、ホワイトバランスも人物の色を適正にした場合に、風景の色がずれるなどという問題があった。また、暗いシーンで動いているものを撮影する場合にストロボのシンクロを先幕にするか後幕にするかをあらかじめ設定しておかなくてはいけないという問題も存在した。
【課題を解決するための手段】
【０００５】
本発明に係る画像処理装置に於いては、露光開始を検知する露光検知スイッチと、露光時間を決定する露光時間決定装置を有し、露光開始を検知した場合には、露光時間を任意の時間に分割して、複数回の露光を行える露光手段と複数回の露光について撮像した画像全てを記録媒体に記録することを特徴とする。
【０００６】
また、色温度検出を検出する色温度検出手段と色別に信号レベルを増幅させる制御装置とを有し、撮影後に請求項１に記載の複数画像それぞれに関して、測色処理を施すことを特徴とする。
【０００７】
また、複数の画像を合成することによって、適正な露光量の画像を生成させることを特徴とする。
【０００８】
また、ストロボ発光装置を有し、露光時間中の最初と最後にストロボ発光を行うことを特徴とする。
【０００９】
また、ストロボ発光の最初の発光若しくは最後の発光のいずれかを選択し、画像合成を行うことを特徴とする。
【００１０】
また、記録媒体に記録されている複数の画像を合成する合成装置を有し、露光時間を入力する手段を有し、入力された露光時間により、重ねあわせる画像を選択し、画像合成を行うことを特徴とする。
【００１１】
上記手段により、夜景などのシーンで、人物などの被写体およびバックの風景いずれも、適正な色の画像を得ることが可能となる。また、撮影後に露光量や先幕後幕の決定を行えるために、ユーザーの意図する画像を簡単に得られることが可能となる。
【発明の効果】
【００１２】
以上の説明から容易に理解できるように、外光を含むストロボ撮影を行ったときに、背景と主被写体において、両方色温度が適切な画像を得ることができる。
【００１３】
また、撮影後に先幕・後幕シンクロを選択することが可能で、かつ露光時間を選択することが可能である。
【発明を実施するための最良の形態】
【００１４】
（第１の実施例）
以下、図面を参照して本発明の実施例を説明する。
【００１５】
図１は、本発明の実施例の構成を示す図である。
【００１６】
図1において、１００は画像処理装置である。
【００１７】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１８】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。
【００２０】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００２１】
さらに、画像処理回路２０においては、撮像した画像データを用いて所定の演算処理を行い、得られた演算結果に基づいてTTL方式のAWB（オートホワイトバランス）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２４】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２５】
画像表示部２８を用いて撮像した画像データを逐次表示すれば、電子ファインダー機能を実現することが可能である。
【００２６】
また、画像表示部２８は、システム制御回路５０の指示により任意に表示をON/OFFすることが可能であり、表示をOFFにした場合には画像処理装置１００の電力消費を大幅に低減することが出来る。
【００２７】
３０は撮影した静止画像や動画像を格納するためのメモリであり、所定枚数の静止画像や所定時間の動画像を格納するのに十分な記憶量を備えている。
【００２８】
これにより、複数枚の静止画像を連続して撮影する連射撮影やパノラマ撮影の場合にも、高速かつ大量の画像書き込みをメモリ３０に対して行うことが可能となる。
【００２９】
また、メモリ３０はシステム制御回路５０の作業領域としても使用することが可能である。
【００３０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３１】
４０は絞り機能を備えるシャッター１２を制御する露光制御手段であり、フラッシュ４８と連携することによりフラッシュ調光機能も有するものである。
【００３２】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３３】
４８はフラッシュであり、AF補助光の投光機能、フラッシュ調光機能も有する。
【００３４】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３５】
５０は画像処理装置１００全体を制御するシステム制御回路、５２はシステム制御回路５０の動作用の定数、変数、プログラム等を記憶するメモリである。
【００３６】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。
【００３７】
また、表示部５４は、その一部の機能が光学ファインダー１０４内に設置されている。
【００３８】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００３９】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４０】
５６は電気的に消去・記録可能な不揮発性メモリであり、例えばEEPROM等が用いられる。
【００４１】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４２】
ここで、これらの操作手段の具体的な説明を行う。
【００４３】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００４４】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００４５】
６４はシャッタースイッチSW2で、不図示のシャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４６】
６６は画像表示ON/OFFスイッチで、画像表示部２８のON/OFFを設定することが出来る。
【００４７】
この機能により、光学ファインダー１０４を用いて撮影を行う際に、TFT LCD等から成る画像表示部への電流供給を遮断することにより、省電力を図ることが可能となる。
【００４８】
６８はクイックレビューON/OFFスイッチで、撮影直後に撮影した画像データを自動再生するクイックレビュー機能を設定する。
【００４９】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００５０】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５１】
８２はコネクタ、８４はコネクタ、８６はアルカリ電池やリチウム電池等の一次電池やNiCd電池やNiMH電池、Li電池等の二次電池、ACアダプター等からなる電源手段である。
【００５２】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５３】
なお、本実施例では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５４】
インターフェース及びコネクタとしては、PCMCIAカードやCF（コンパクトフラッシュ（登録商標））カード等の規格に準拠したものを用いて構成して構わない。
【００５５】
さらに、インタフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５６】
１０２は、画像処理装置１００のレンズ１０を含む撮像部を覆う事により、撮像部の汚れや破損を防止するバリアである保護手段である。
【００５７】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５８】
１１０は通信手段で、RS232CやUSB、IEEE1394、P1284、SCSI、モデム、LAN、無線通信、等の各種通信機能を有する。
【００５９】
１１２は通信手段１１０により画像処理装置１００を他の機器と接続するコネクタ或いは無線通信の場合はアンテナである。
【００６０】
２００はメモリカードやハードディスク等の記録媒体である。
【００６１】
記録媒体２００は、半導体メモリや磁気ディスク等から構成される記録部２０２、画像処理装置１００とのインタフェース２０４、画像処理装置１００と接続を行うコネクタ２０６を備えている。
【００６２】
２１０はメモリカードやハードディスク等の記録媒体である。
【００６３】
記録媒体２１０は、半導体メモリや磁気ディスク等から構成される記録部２１２、画像処理装置１００とのインタフェース２１４、画像処理装置１００と接続を行うコネクタ２１６を備えている。
【００６４】
図２及び図3は本実施例の画像処理装置１００の主ルーチンのフローチャートを示す。
【００６５】
図２及び図3を用いて、画像処理装置１００の動作を説明する。
【００６６】
電池交換等の電源投入により、システム制御回路５０はフラグや制御変数等を初期化し（Ｓ１０１）、画像表示部２８の画像表示をOFF状態に初期設定する（Ｓ１０２）。
【００６７】
システム制御回路５０は、モードダイアル６０の設定位置を判断し、モードダイアル６０が電源OFFに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００６８】
モードダイアル６０が撮影モードに設定されていたならば（Ｓ１０３）、Ｓ１０６に進む。
【００６９】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００７０】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００７１】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００７２】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がONであったならば、画像表示部２８も用いて画像や音声により画像処理装置１００の各種設定状態の表示を行う。
【００７３】
システム制御回路５０は、クイックレビューON/OFFスイッチ６８の設定状態を調べ（Ｓ１１０）、クイックレビューONに設定されていたならばクイックレビューフラグを設定し、（Ｓ１１１）、クイックレビューOFFに設定されていたならばクイックレビューフラグを解除する（Ｓ１１２）。
【００７４】
なお、クイックレビューフラグの状態は、システム制御回路５０の内部メモリ或いはメモリ５２に記憶する。
【００７５】
続いて、システム制御回路５０は、画像表示ON/OFFスイッチ６６の設定状態を調べ（Ｓ１１３）、画像表示ONに設定されていたならば、画像表示フラグを設定すると共に（Ｓ１１４）、画像表示部２８の画像表示をON状態に設定し（Ｓ１１５）、さらに撮像した画像データを逐次表示するスルー表示状態に設定して（Ｓ１１６）、Ｓ１１９に進む。
【００７６】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００７７】
画像表示ON/OFFスイッチ６６が画像表示OFFに設定されていたならば（Ｓ１１３）、画像表示フラグを解除すると共に（Ｓ１１７）、画像表示部２８の画像表示をOFF状態に設定して（Ｓ１１８）、Ｓ１１９に進む。
【００７８】
画像表示OFFの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【００７９】
なお、画像表示フラグの状態は、システム制御回路５０の内部メモリ或いはメモリ５２に記憶する。
【００８０】
シャッタースイッチSW1が押されていないならば（Ｓ１１９）、Ｓ１０３に戻る。
【００８１】
シャッタースイッチSW1が押されたならば（Ｓ１１９）、システム制御回路５０はシステム制御回路５０の内部メモリ或いはメモリ５２に記憶される画像表示フラグの状態を判断し（Ｓ１２０）、画像表示フラグが設定されていたならば画像表示部２８の表示状態をフリーズ表示状態に設定して（Ｓ１２１）、Ｓ１２２に進む。
【００８２】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【００８３】
画像表示フラグが解除されていたならば（Ｓ１２０）、Ｓ１２２に進む。
【００８４】
システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。
【００８５】
この測距・測光処理Ｓ１２２の詳細は図4を用いて後述する。
【００８６】
測距・測光処理Ｓ１２２を終えたならば、システム制御回路５０はシステム制御回路５０の内部メモリ或いはメモリ５２に記憶される画像表示フラグの状態を判断し（Ｓ１２３）、画像表示フラグが設定されていたならば画像表示部２８の表示状態をスルー表示状態に設定して（Ｓ１２４）、Ｓ１２５に進む。なお、Ｓ１２４でのスルー表示状態は、Ｓ１１６でのスルー状態と同じ動作状態である。
【００８７】
シャッタースイッチSW2が押されずに（Ｓ１２５）、さらにシャッタースイッチSW1も解除されたならば（Ｓ１２６）、Ｓ１０３に戻る。
【００８８】
シャッタースイッチSW2が押されたならば（Ｓ１２５）、システム制御回路５０はシステム制御回路５０の内部メモリ或いはメモリ５２に記憶される画像表示フラグの状態を判断し（Ｓ１２７）、画像表示フラグが設定されていたならば画像表示部２８の表示状態を固定色表示状態に設定して（Ｓ１２８）、Ｓ１２９に進む。
【００８９】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００９０】
画像表示フラグが解除されていたならば（Ｓ１２７）、Ｓ１２９に進む。
【００９１】
システム制御回路５０は、撮像素子１２、Ａ／Ｄ変換器１６、、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。
【００９２】
システム制御回路５０は、システム制御回路５０の内部メモリ或いはメモリ５２に記憶される画像表示フラグの状態を判断し（Ｓ１３０）、画像表示フラグが設定されていたならばクイックレビュー表示を行う（Ｓ１３３）。この場合は、撮影中も画像表示部２８が電子ファインダーとして常に表示された状態であり、撮影直後のクイックレビュー表示も行われる。
【００９３】
画像表示フラグが解除されていたならば（Ｓ１３０）、システム制御回路５０の内部メモリ或いはメモリ５２に記憶されるクイックレビューフラグの状態を判断し（Ｓ１３１）、クイックレビューフラグが設定されていたならば、画像表示部２８の画像表示をON状態に設定し（Ｓ１３２）、クイックレビュー表示を行う（Ｓ１３３）。
【００９４】
画像表示フラグが解除され（Ｓ１３０）、クイックレビューフラグも解除されていたならば（Ｓ１３１）、画像表示部２８がOFFの状態のままＳ１３４に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【００９５】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。
【００９６】
記録処理Ｓ１３４が終了した際に、シャッタースイッチSW2が押された状態であったならば（Ｓ１３５）、システム制御回路５０はシステム制御回路５０の内部メモリ或いはメモリ５２に記憶される連写フラグの状態を判断し（Ｓ１３６）、連写フラグが設定されていたならば、連続して撮影を行うためにＳ１２９に戻り、次の撮影を行う。
【００９７】
連写フラグが設定されていないならば（Ｓ１３６）、シャッタースイッチSW2が放されるまで（Ｓ１３５）、現在の処理を繰り返す。
【００９８】
このように、本発明によれば、撮影直後にクイックレビュー表示を行う動作設定状態の場合に、記録処理Ｓ１３４が終了した際にシャッタースイッチSW2が押された状態であったならば、シャッタースイッチSW2が放されるまで画像表示部２８におけるクイックレビュー表示を継続して撮影画像の確認を入念に行うことを可能とすることが出来る。
【００９９】
記録処理Ｓ１３４が終了した際にシャッタースイッチSW2が放された状態であった、或いは、シャッタースイッチSW2を押し続けてクイックレビュー表示を継続して撮影画像の確認を行った後にシャッタースイッチSW2を放した状態であったならば（Ｓ１３５）、所定のミニマムレビュー時間が経過した後にＳ１３８に進む（Ｓ１３７）。
【０１００】
システム制御回路５０は、画像表示フラグが設定されていたならば（Ｓ１３８）、画像表示部２８の表示状態をスルー表示状態に設定して（Ｓ１３９）、Ｓ１４１に進む。
【０１０１】
この場合、画像表示部２８でのクイックレビュー表示によって撮影画像を確認した後に、次の撮影のために撮像した画像データを逐次表示するスルー表示状態にすることが出来る。
【０１０２】
画像表示フラグが解除されていたならば（Ｓ１３８）、画像表示部２８の画像表示をOFF状態に設定して（Ｓ１４０）、Ｓ１４１に進む。
【０１０３】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１０４】
シャッタースイッチSW1が押された状態であったならば（Ｓ１４１）、システム制御回路５０は、Ｓ１２５に戻って次の撮影に備える。
【０１０５】
シャッタースイッチSW1が放された状態であったならば（Ｓ１４１）、システム制御回路５０は、一連の撮影動作を終えてＳ１０３に戻る。
【０１０６】
図4は、図3のＳ１２２における測距・測光処理の詳細なフローチャートを示す。
【０１０７】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はTTL（スルー・ザ・レンズ）方式のAE（自動露出）処理、EF（フラッシュプリ発光）処理、AF（オートフォーカス）処理に用いる所定の演算を行っている。
【０１０８】
なお、ここでの各処理は、撮影した全画素数のうちの必要に応じた特定の部分を必要個所分切り取って抽出し、演算に用いている。これにより、 TTL方式のAE、EF、AWB、AFの各処理において、中央重点モード、平均モード、評価モードの各モード等の異なるモード毎に最適な演算を行うことが可能となる。
【０１０９】
画像処理回路２０での演算結果を用いて、システム制御回路５０は露出（AE）が適正と判断されるまで（Ｓ２０２）、露光制御手段４０を用いてAE制御を行う（Ｓ２０３）。
【０１１０】
AE制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【０１１１】
露出（AE）が適正と判断したならば（Ｓ２０２）、測定データ及び或いは設定パラメータをシステム制御回路５０の内部メモリ或いはメモリ５２に記憶する。
【０１１２】
画像処理回路２０での演算結果及びAE制御で得られた測定データを用いて、システム制御回路５０はホワイトバランス（AWB）が適正と判断されるまで（Ｓ２０６）、画像処理回路２０を用いて色処理のパラメータを調節してAWB制御を行う（Ｓ２０７）。
【０１１３】
ホワイトバランス（AWB）が適正と判断したならば（Ｓ２０６）、測定データ及び或いは設定パラメータをシステム制御回路５０の内部メモリ或いはメモリ５２に記憶する。
【０１１４】
AE制御及びAWB制御で得られた測定データを用いて、システム制御回路５０は測距（AF）が合焦と判断されるまで（Ｓ２０８）、測距制御手段４２を用いてAF制御を行う（Ｓ２０９）。
【０１１５】
測距（AF）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【０１１６】
図5は、図3のＳ１２９における撮影処理の詳細なフローチャートを示す。
【０１１７】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【０１１８】
フラッシュ・フラグによりフラッシュ４８が必要か否かを判断し（Ｓ３０３）、必要な場合はフラッシュを発光させる（Ｓ３０４）。
【０１１９】
システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【０１２０】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１２１】
システム制御回路５０は、メモリ３０から画像データを読み出し、メモリ制御回路２２を介して画像表示メモリ２４に表示画像データの転送を行う（Ｓ３１１）。
【０１２２】
一連の処理を終えたならば、撮影処理ルーチンＳ１２９を終了する。
【０１２３】
図6は、図3のＳ１３４における記録処理の詳細なフローチャートを示す。
【０１２４】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【０１２５】
そして、メモリ３０に書き込まれた画像データを読み出して、設定したモードに応じた画像圧縮処理を圧縮・伸長回路３２によって行った後（Ｓ４０２）、インターフェース９０或いは９４、コネクタ９２或いは９６を介して、メモリカードやコンパクトフラッシュ（登録商標）カード等の記録媒体２００或いは２１０へ圧縮した画像データの書き込みを行う（Ｓ４０３）。
【０１２６】
記録媒体への書き込みが終わったならば、記録処理ルーチンＳ１３４を終了する。
【０１２７】
図９を参照して、第一の実施例の説明を行う。
【０１２８】
図９はフラッシュ撮影時のタイミングチャートを示している。信号のそれぞれの意味はVDはCCDの垂直同期信号、SGはCCDの読み出しパルス、SUBは電子シャッター、SHはシャッター信号、STはストロボ信号、ＥＸPは露光期間、STATUSはその期間のステータスを示している。（１）はストロボ光の露光期間、（２）はストロボ光露光時の第一フィールド読み出し期間、（３）はストロボ光露光時の第二フィールド読み出し期間、（４）は外光のみの露光期間、（５）は外光のみの露光時の第一フィールド読み出し期間、（６）は外光のみの露光時の第二フィールド読み出し期間となっている。
【０１２９】
このタイミングチャートの例ではＣＣＤはインタレース方式のものであり、静止画読み出しは第一フィールド、第二フィールドの２回の読み出しで行われるものとする。
【０１３０】
静止画撮影でストロボ発光の場合、露出制御を行って、シャッタースピード（露光期間）及びストロボ発光期間を決定する。このときに決定された露光期間をExp、ストロボ発光時間をAとし、外光のみの露出時間をBとすると、
B = Exp - A
となる。
【０１３１】
まず最初にストロボ光だけの露光を行い（ｓｔａｔｕｓ（１））、メカシャッターを閉じて、読み出しをして（ｓｔａｔｕｓ（２）、（３））、ストロボ光撮影画像として、メモリ３０に蓄えておく（画像１）。次にシャッターを開けて残りの外光のみの露出を行い（ｓｔａｔｕｓ（４）、露出時間Ｂ）、メカシャッターを再び閉じて、読み出して、外光撮影画像として、同じくメモリ３０に蓄えておく（画像２）。
【０１３２】
次に画像１に関して、ストロボ光のみの色温度での被写体とみなしてホワイトバランス制御を行う。さらに画像２に関しては、ストロボ光なしの外光のみの被写体とみなして色温度算出し、ホワイトバランス制御を行う。
【０１３３】
システム制御部５０にてそれぞれ現像処理を行った画像を合成（足し合わせ）し、最終的な画像を作成し、記録媒体２００及び２１０に記録する。
【０１３４】
上記の制御によって、適切な色の主被写体及び背景の画像を得ることが可能となる。例えば、夕焼けバックにポートレート撮影を行うときには、背景は夕焼けの赤みを残しつつ、被写体の人肌は正しい肌色にすることが可能となる。
【０１３５】
図７を参照して、第二の実施例の説明を行う。
【０１３６】
図９と同様に図７の信号のそれぞれの意味はVDはCCDの垂直同期信号、SGはCCDの読み出しパルス、SUBは電子シャッター、SHはシャッター信号、STはストロボ信号、ＥＸPは露光期間、STATUSはその期間のステータスを示している。（Ｉ）は先幕ストロボ光の露光期間、（II）は先幕ストロボ光露光時の読み出し期間、（III）は第一の外光のみの露光期間、（IV）は第一の外光のみの露光の読み出し期間、（Ｖ）は第二の外光のみの露光期間、（VI）は第二の外光のみの露光の読み出し期間、（VII）は第三の外光のみの露光期間、（VIII）は第三の外光のみの露光の読み出し期間、（IX）は後幕ストロボ光の露光期間、（Ｘ）は後幕ストロボ光露光時の読み出し期間となっている。
【０１３７】
先幕発光時間 ＝ 後幕発光時間 ＝ Ａ
第一の外光露光時間 ＝ 第二の外光露光時間 ＝ 第三の露光時間 ＝ Ｂ
とすると、第一の実施例の場合と同様に、先幕発光第一の外光露光時、第二の外光露光時、第三の外光露光時、後幕発光時の撮影画像（それぞれ画像１、画像２、画像３、画像４、画像５とする）をメモリ３０に蓄えておく。画像１、画像５に対しては、ストロボ光のみの色温度での被写体とみなしてホワイトバランス制御を行う。さらに画像２、画像３、画像４に関しては、ストロボ光なしの外光のみの被写体とみなして色温度算出し、ホワイトバランス制御を行う。
【０１３８】
撮影後に操作部７０及び表示部５８を用いて、以下の操作が可能となる。第一の例と同様に画像を合成することによって、1枚の画像を生成するが、外光画像をいくつ積み重ねるかによって、露光時間が後から決定できる。また、ただし画像１と画像５はいずれかひとつしか使用せず、画像１を選択すると先幕シンクロ、画像５を選択すれば、後幕シンクロとなる。これをフローチャートを用いて説明すると。簡単のために、
A << B
とすると、実際の露光に発光時間はほとんど影響されないので、Ｂの時間のみの影響となる。例えば、B=1/1000とすると、
1. 画像１と２
2. 画像１と２と３
3. 画像１と２と３と４
4. 画像２と３と４と５
5. 画像３と４と５
6. 画像４と５
の6種類の画像を作り出すことが可能となる。1は露光時間が１/1000秒の先幕シンクロ画像、２は露光時間1/500秒の先幕シンクロ画像、３は露光時間3/1000秒の先幕シンクロ画像、４は露光時間が3/1000秒の後幕シンクロ画像、5は露光時間1/500秒の先幕シンクロ画像、6は露光時間1/1000秒の先幕シンクロ画像となる。撮影後にこのような6種類の画像を選択することが可能である。
【０１３９】
これをフローチャートで示したのが図８である。簡単に説明すると、画像合成を選択した場合（S１１０１）、まず最初に先幕シンクロか後幕シンクロかを選択する（S1102、S1103）。先幕を選択した場合、画像１をまずメモリに格納する（S1105）、次に露光時間の選択を行い、露光時間3/1000を選択した場合、さらに画像２、３、４をメモリに格納し（S111２）、露光時間1/500を選択した場合、画像２、３をメモリに格納し（S1113）、露光時間1/1000を選択した場合、画像２をメモリに格納する（S1114）。また、後幕シンクロを選択した場合、画像５をメモリに格納する（S1104）。次に露光時間の選択を行い、露光時間3/1000を選択した場合、さらに画像２、３、４をメモリに格納し（S1106）、露光時間1/500を選択した場合、画像３、４をメモリに格納し（S1107）、露光時間1/1000を選択した場合、画像４をメモリに格納する（S1108）。以上のフローを経て、メモリに格納されている画像を積み重ねて（S1115）、本画像とし画像を生成する（S1116）。
【０１４０】
なお、実施例の説明においては、５段階の露光を例に挙げたが、当然ながら露光回数は複数回の露光が可能であり、何段階露光を行うかをユーザーが選択する手段を具備するなども当然考え得る。また、例では露光時間は全ての段階に置いて同じであるが、1回の露光時間を変化させるなども考え得る。
【図面の簡単な説明】
【０１４１】
【図１】本発明の一実施例の構成ブロック図である。
【図２】本実施例の主ルーチンのフローチャートの一部である。
【図３】本実施例の主ルーチンのフローチャートの一部である。
【図４】本実施例の測距・測光ルーチンのフローチャートである。
【図５】本実施例の撮影ルーチンのフローチャートである。
【図６】本実施例の記録ルーチンのフローチャートである
【図７】本実施例のストロボ先・後幕シンクロ選択のタイミングチャートである。
【図８】本実施例のストロボ先・後幕シンクロ選択のフローチャートである。
【図９】本実施例の外光、ストロボ光別露光のタイミングチャートである。
【符号の説明】
【０１４２】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチSW1
６４  シャッタースイッチSW2
６６  画像表示ON/OFFスイッチ
６８  クイックレビューON/OFFスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2006191290.tif 000003
【図２】
2006191290.tif 000004
【図３】
2006191290.tif 000005
【図４】
2006191290.tif 000006
【図５】
2006191290.tif 000007
【図６】
2006191290.tif 000008
【図７】
2006191290.tif 000009
【図８】
2006191290.tif 000010
【図９】
2006191290.tif 000011